(57)【要約】【課題】ばね部材のばね力を安定して他の部材に付与することができる魚釣用リールを提供することを課題とする。【解決手段】釣糸が巻回されるスプール１２０と、釣糸の繰り出しを制御するドラグ機構１３０と、を備えた魚釣用リール１であって、ドラグ機構１３０は、調節ノブ１３１と、スプール１２０に制動力を付与する押圧部材１３２と、調節ノブ１３１と押圧部材１３２との間に介設され、押圧部材１３２を押圧するばね部材１３３と、を備え、ばね部材１３３は、螺旋状の線材１３３ａからなり、線材１３３ａは矩形断面であり、線材１３３ａの軸断面の図心を通るばね部材１３３の軸方向に対して略垂直な軸に関する断面二次モーメントが最小であり、ドラグ機構１３０には、ばね部材１３３の端部の外周面に対峙する側壁面と、ばね部材１３３の軸方向の端面に接触する底面と、が形成されている。【選択図】図２
2015164433.tif 000002
【特許請求の範囲】
【請求項１】
釣糸が巻回されるスプールと、前記スプールから釣糸が繰り出される際に、釣糸の繰り出しを制御するドラグ機構と、を備えた魚釣用リールであって、
前記ドラグ機構は、調節ノブと、前記スプールに制動力を付与する押圧部材と、前記調節ノブと前記押圧部材との間に介設され、前記調節ノブの調節により、前記スプールに制動力が付与されるように、前記押圧部材を押圧するばね部材と、を備え、
前記ばね部材は、螺旋状に形成された線材からなり、前記線材の軸断面は矩形断面であり、
前記線材の軸断面の図心を通る前記ばね部材の軸方向に対して略垂直な軸に関する断面二次モーメントが最小であり、
前記ドラグ機構には、前記ばね部材の端部の外周面に対峙する側壁面と、前記ばね部材の軸方向の端面に接触する底面と、が形成されていることを特徴とする魚釣用リール。
【請求項２】
前記側壁面において前記ばね部材の軸方向の幅は、前記線材の端部において前記ばね部材の軸方向の幅よりも大きいことを特徴とする請求項１に記載の魚釣用リール。
【請求項３】
前記線材は板状の部材であり、
隣り合う前記線材の軸断面は、前記ばね部材の軸方向に隣り合う辺が、平行かつ前記ばね部材の軸方向に垂直であることを特徴とする請求項１または請求項２に記載の魚釣用リール。
【請求項４】
前記線材は、前記ばね部材の軸方向に凹凸した波状に形成されており、
隣り合う前記線材の凹部同士または凸部同士が対向していることを特徴とする請求項１から請求項３のいずれか一項に記載の魚釣用リール。
【発明の詳細な説明】
【技術分野】
【０００１】
本発明は、魚釣用リールに関する。
【背景技術】
【０００２】
従来の魚釣用リールとしては、スプールから釣糸が繰り出される際に、釣糸の繰り出しを制御するドラグ機構を設けたものが知られている。このドラグ機構は、調節ノブと、スプールに制動力を付与する押圧部材と、調節ノブと押圧部材との間に介設され、調節ノブの調節により、スプールに制動力が付与されるように、押圧部材を押圧するばね部材と、を備えている。
【先行技術文献】
【特許文献】
【０００３】
【特許文献１】特開２００１−２６９０９９号公報
【発明の概要】
【発明が解決しようとする課題】
【０００４】
従来のドラグ機構では、円形断面の線材を螺旋状に形成したばね部材（コイルばね）が用いられている。このようなばね部材では、圧縮時に隣り合う線材の円周面同士が接触する虞がある。そして、線材の円周面同士が接触すると、線材がばね部材の径方向にずれて、ばね部材が径方向に湾曲（座屈）する場合がある。従来のドラグ機構において、調節ノブを締め込んで、ばね部材を圧縮させたときに、ばね部材が径方向に湾曲すると、ばね部材から押圧部材に付与されるばね力が偏るという問題がある。
【０００５】
そこで、本発明では、前記した問題を解決し、ばね部材のばね力を安定して他の部材に付与することができる魚釣用リールを提供することを課題とする。
【課題を解決するための手段】
【０００６】
前記課題を解決するため、本発明は、釣糸が巻回されるスプールと、前記スプールから釣糸が繰り出される際に、釣糸の繰り出しを制御するドラグ機構と、を備えた魚釣用リールであって、前記ドラグ機構は、調節ノブと、前記スプールに制動力を付与する押圧部材と、前記調節ノブと前記押圧部材との間に介設され、前記調節ノブの調節により、前記スプールに制動力が付与されるように、前記押圧部材を押圧するばね部材と、を備え、前記ばね部材は、螺旋状に形成された線材からなり、前記線材の軸断面は矩形断面であり、前記線材の軸断面の図心を通る前記ばね部材の軸方向に対して略垂直な軸に関する断面二次モーメントが最小であり、前記ドラグ機構には、前記ばね部材の端部の外周面に対峙する側壁面と、前記ばね部材の軸方向の端面に接触する底面と、が形成されていることを特徴としている。また、前記側壁面において前記ばね部材の軸方向の幅は、前記線材の端部において前記ばね部材の軸方向の幅よりも大きくしてもよい。
【０００７】
この構成では、線材の軸断面の図心を通るばね部材の軸心に平行な軸に関する断面二次モーメントが大きくなっている。すなわち、ばね部材は径方向への曲げ剛性が大きくなるため、ばね部材が径方向に湾曲し難くなる。
【０００８】
前記した魚釣用リールにおいて、前記線材は板状の部材であり、隣り合う前記線材の軸断面は、前記ばね部材の軸方向に隣り合う辺が、平行かつ前記ばね部材の軸方向に垂直となるように構成してもよい。
この構成では、ばね部材が圧縮されたときには、隣り合う線材が密接するため、線材同士がばね部材の径方向にずれ難くなる。
【０００９】
前記した魚釣用リールにおいて、前記線材を、前記ばね部材の軸方向に凹凸した波状に形成し、隣り合う前記線材の凹部同士または凸部同士を対向させてもよい。
この構成では、ばね部材が圧縮されたときに、隣り合う線材の凸部同士が接触して撓むことで、ばね部材のばね定数が大きくなる。また、隣り合う線材の凸部同士が接触した状態で、弾性を有するため、隣り合う線材の間隔を小さくすることができる。
【発明の効果】
【００１０】
本発明の魚釣用リールでは、ばね部材は径方向への曲げ剛性が大きくなり、ばね部材が径方向に湾曲し難くなるため、ばね部材のばね力を他の部材に安定して付与することができる。そして、本発明のばね部材をドラグ機構に用いた場合には、スプールに付与される制動力を安定させることができる。したがって、所望の制動力をスプールに対して好適に付与することができる。
【００１１】
また、隣り合う線材の軸断面において、ばね部材の軸方向に隣り合う辺を、平行かつ軸方向に垂直となるように構成した場合には、線材同士がばね部材の径方向にずれ難くなるため、ばね部材の安定性をより一層高めることができる。
【００１２】
また、線材をばね部材の軸方向に凹凸した波状に形成した場合には、ばね部材のばね定数が大きくなるとともに、隣り合う線材の間隔を小さくすることができるため、ばね部材の小型化および軽量化を図れるとともに、ばね部材を魚釣用リールに組み込むときの作業性を高めることができる。
【図面の簡単な説明】
【００１３】
【図１】第一実施形態の魚釣用リール（スピニングリール）を示した全体図である。
【図２】第一実施形態の魚釣用リールのドラグ機構を示した拡大断面図である。
【図３】第一実施形態のドラグ機構に用いられているばね部材を示した図で、（ａ）は側面図、（ｂ）は側断面図、（ｃ）は軸断面の拡大図である。
【図４】第一実施形態のばね部材の変形例を示した図で、波状ばね部材の側面図である。
【図５】第一実施形態のばね部材の変形例を示した図で、（ａ）は軸断面が台形の線材の断面図、（ｂ）は軸断面が長円形の線材の断面図、（ｃ）は軸断面が平行四角形の線材の断面図である。
【図６】参考例の魚釣用リール（両軸リール）を示した平面断面図である。
【発明を実施するための形態】
【００１４】
以下、本発明の魚釣用リールの実施形態について、図面を参照しながら説明する。
【００１５】
＜第一実施形態＞
本発明の第一実施形態の魚釣用リール１は、図１に示すように、図示しない釣竿に装着される脚部１０１が形成されたリール本体１００と、リール本体１００の前方に回転可能に設けられたロータ１１０と、ロータ１１０の回転と同期して前後に移動するスプール１２０と、スプール１２０からの釣糸の繰り出しを制御するドラグ機構１３０と、を主として備えたスピニングリールである。
なお、以下の説明において、「前後」を言うときは、図１に示した方向を基準とする。
【００１６】
リール本体１００には、ハンドル軸１４０が回転可能に支持されており、ハンドル軸１４０の突端部にはハンドル１４１が取り付けられている。
ハンドル軸１４０には、ドライブギヤ１５０が取り付けられている。ドライブギヤ１５０は、ハンドル軸１４０と直交する方向に延出している駆動軸筒１６０のピニオンギヤ１６１に噛合している。
【００１７】
駆動軸筒１６０は、リール本体１００に回転可能に支持されており、その空洞部にはスプール軸１７０が軸方向に移動可能に挿通されている。また、駆動軸筒１６０の前端部にはロータ１１０が取り付けられている。
【００１８】
魚釣用リール１では、ハンドル１４１を操作してハンドル軸１４０を回転させ、ドライブギヤ１５０およびピニオンギヤ１６１を介して、駆動軸筒１６０を回転させることで、ロータ１１０を巻き取り駆動させることができる。
【００１９】
スプール軸１７０の後端部には、スプール軸１７０を前後動させるためのオシレーティング機構が設けられている。オシレーティング機構は、ドライブギヤ１５０の歯車１５１に噛合する連動歯車１８０に設けられた偏芯突部（図示せず）と、スプール軸１７０の後端部に取り付けられた摺動子１８１と、を含んで構成され、摺動子１８１に設けられた案内溝（図示せず）に偏芯突部が係合している。
【００２０】
スプール１２０は、スカート部１２１と前側フランジ１２２との間に図示しない釣糸が巻回される釣糸巻回胴部１２３を備えている。スプール１２０の前端面には、六角形等の角穴である開口凹部１２４が形成されている。この開口凹部１２４内には、後記するドラグ機構１３０が収容されている。そして、スプール１２０は、ドラグ機構１３０を介してスプール軸１７０の前端側に取り付けられている。
【００２１】
ドラグ機構１３０は、図２に示すように、スプール軸１７０に回転可能に支持されたスプール１２０に対して所望の制動力、すなわち、スプール１２０に巻回された釣糸が繰り出された際に、スプール１２０に対して所望の制動力（ドラグ力）を与えるものである。ドラグ機構１３０は、調節ノブ１３１と、押圧部材１３２と、ばね部材１３３と、制動部材１３４と、を備えている。
【００２２】
調節ノブ１３１および押圧部材１３２は、スプール１２０の回転を制動する制動力の強弱の調節を行なうとともに、スプール１２０の抜け止めの役割を果たすものである。
【００２３】
押圧部材１３２は、前側に開口した断面略ハット状を呈している。押圧部材１３２の底部１３２ａには、挿通孔１３２ｂが貫通している。この挿通孔１３２ｂにはスプール軸１７０が挿通されており、押圧部材１３２はスプール軸１７０に対して、その軸方向に移動可能となっている。
この押圧部材１３２は、開口凹部１２４内の底面（前面）側に配置され、後記する制動部材１３４を底部１３２ａで押圧するように構成されている。
【００２４】
調節ノブ１３１は、前面に操作部（ドラグ摘み部）１３１ａが突設されており、押圧部材１３２の前部に係止されている。調節ノブ１３１の後面の中心部には、スプール軸１７０の前端部に形成された雄ねじ部１７１が螺合する雌ねじ部１３１ｂが設けられている。
また、調節ノブ１３１の後面は、六角形等の角穴である開口凹部状に形成され、調節ノブ１３１に対して軸方向に移動可能かつ回り止め嵌合されるように、雌ねじ部１３１ｂの外周部は、調節ノブ１３１の後面に対応して六角形等に形成されている。
【００２５】
ばね部材１３３は、図３（ａ）に示すように、板状の金属部材である線材１３３ａを螺旋状に形成した弾性部材である。図３（ｂ）に示すように、線材１３３ａの軸断面１３３ｂは、ばね部材１３３の径方向に幅広な矩形断面となっている。
【００２６】
第一実施形態のばね部材１３３では、図３（ｃ）に示すように、線材１３３ａの軸断面１３３ｂの図心Ｇを基準とする断面二次モーメントは、ばね部材１３３の軸方向Ｘ（図３（ｂ）参照）に対して平行な方向の曲げ剛性が最小となるように、図心Ｇを通る軸方向Ｘに垂直な方向であるｙ軸に関する断面二次モーメントが最小となっている（ｙ軸が所謂、弱軸）。そして、ばね部材１３３の軸方向Ｘに対して垂直方向の曲げ剛性が最大となるように、図心Ｇを通る軸方向Ｘに平行な方向であるｘ軸に関する断面二次モーメントが最大となっている（ｘ軸が所謂、強軸）。
すなわち、第一実施形態のばね部材１３３では、径方向への曲げ剛性が大きくなっており、ばね部材１３３は径方向に湾曲（座屈）し難くなっている。
なお、ｘ軸に対する断面二次モーメント（Ｉｘｘ）とｙ軸に対する断面二次モーメント（Ｉｙｙ）の比は、Ｉｘｘ：Ｉｙｙ＝２以上：１にするのが好ましく、特に、Ｉｘｘ：Ｉｙｙ＝８以上：１とすることで、（魚の引きとのやりとりの最中などの）スプール軸に垂直な方向への衝撃が加わった場合でも確実なドラグ性能を得ることができる。
【００２７】
図３（ａ）に示すように、線材１３３ａの両端部は、ばね部材１３３の軸方向に対して垂直な面内で旋回しており、ばね部材１３３の両端部は平坦に形成されている。線材１３３ａの両端部の間は、軸方向に隣り合う線材１３３ａが同じ角度で螺旋状に形成されており、ばね部材１３３の軸方向に対向する面が平行に配置されている。
なお、軸方向に隣り合う線材１３３ａとは、一本の線材１３３ａからなるばね部材１３３を側面視したときに、ばね部材１３３の軸方向に隣り合って配置される部位（区間）である。
【００２８】
また、ばね部材１３３では、図３（ｂ）に示すように、ばね部材１３３の軸方向に隣り合う線材１３３ａの軸断面１３３ｂは、隣り合う辺１３３ｃが平行かつばね部材１３３の軸方向に垂直になっている。
【００２９】
制動部材１３４は、図２に示すように、開口凹部１２４の底面（前面）上に配置された複数の板状の部材によって構成されている。この制動部材１３４は、押圧部材１３２によって押圧されると、開口凹部１２４の底面に圧接される。
【００３０】
前記したドラグ機構１３０では、調節ノブ１３１の操作部１３１ａを摘んで回動操作すると、雌ねじ部１３１ｂがスプール軸１７０の軸方向に沿って移動し、調節ノブ１３１の回動操作量（軸方向への移動量）に応じて、ばね部材１３３が圧縮または伸長する。
そして、ばね部材１３３のばね力が押圧部材１３２に作用し、押圧部材１３２が制動部材１３４を押圧することで、制動部材１３４が開口凹部１２４の底面に圧接され、スプール１２０の釣糸繰り出し方向の回転に対して制動力が付与される。
【００３１】
以上のような第一実施形態の魚釣用リール１では、図３（ｃ）に示すように、ばね部材１３３の線材１３３ａの軸断面１３３ｂの図心Ｇを通る軸方向Ｘ（図３（ｂ）参照）に平行な方向であるｘ軸に関する断面二次モーメントが大きくなっており、ばね部材１３３は径方向への曲げ剛性が大きくなっている。
【００３２】
また、図３（ｂ）に示すように、線材１３３ａは板状の部材であり、隣り合う線材１３３ａの軸断面１３３ｂはばね部材１３３の軸方向に隣り合う辺１３３ｃが、平行かつばね部材１３３の軸方向に垂直となるように構成されており、ばね部材１３３が圧縮されたときには、隣り合う線材１３３ａが密接するため、線材１３３ａ同士がばね部材１３３の径方向にずれ難くなっている。
【００３３】
したがって、第一実施形態の魚釣用リール１では、ばね部材１３３が径方向に湾曲し難くなっており、同時に、ばね部材１３３が軸方向に積極的に湾曲し易くなっており、ばね部材１３３のばね力を図２に示す押圧部材１３２に安定して付与することができ、スプール１２０に付与される制動力を安定させることができる。したがって、所望の制動力をスプール１２０に対して好適に付与することができる。
【００３４】
以上、本発明の第一実施形態について説明したが、本発明は前記第一実施形態に限定されることなく、その趣旨を逸脱しない範囲で適宜に変更が可能である。
例えば、図４に示すように、線材１３５ａを軸方向に凹凸させ、この凹凸を旋回方向に連続させた波状に形成したばね部材１３５を用いてもよい。このばね部材１３５では、隣り合う線材１３５ａの凹部同士または凸部１３５ｂ同士が対向しており、対向する凸部１３５ｂの頂点同士が接触している。
【００３５】
この構成では、ばね部材１３５が圧縮されたときに、隣り合う線材１３５ａの凸部１３５ｂ同士が撓むことで、ばね部材１３５のばね定数が大きくなっている。また、隣り合う線材の凸部１３５ｂ同士が接触した状態で、弾性を有しているため、隣り合う線材１３５ａの間隔を小さくすることができる。したがって、ばね部材１３５の小型化および軽量化を図れる。また、ばね定数を大きくするために、複数のスプリングワッシャーを用いる方法もあるが、その場合に対して、第一実施形態の構成では、前記した効果に加えて、ばね部材１３５を魚釣用リールに組み込むときの作業性を高めることができる。
【００３６】
また、前記第一実施形態の魚釣用リール１では、図３（ｃ）に示すように、ばね部材１３３の線材１３３ａの軸断面１３３ｂが、径方向Ｙに幅広な矩形断面に形成されているが、線材１３３ａの軸断面は、図心を基準とする断面二次モーメントが、ばね部材１３３の軸方向に対して略平行方向が最小となるように形成されていればよく、その形状は限定されるものではない。
例えば、図５（ａ）に示すように、線材１３６ａの軸断面１３６ｂを、ばね部材の径方向に幅広な台形に形成してもよい。なお、図５（ａ）の線材１３６ａでは、ばね部材の軸方向に台形の平行な二辺が配置されているが、ばね部材の径方向に台形の平行な二辺が形成されていてもよい。また、図５（ｂ）に示すように、線材１３７ａの軸断面１３７ｂを、ばね部材の径方向に幅広な長円形に形成してもよい。
また、図５（ｃ）に示すように、線材１３８ａの軸断面１３８ｂを、ばね部材の径方向に幅広な平行四角形に形成してもよい。このように、軸断面１３８ｂが平行四角形の場合は、軸断面１３８ｂの図心を通る断面二次モーメントが最小になる軸方向は、ばね部材の軸方向に垂直な方向に対して、５度程度の差異が生じるが、十分な効果を得ることができる。なお、ばね部材の軸方向に垂直な方向に対する差異が、±１５度程度の範囲であるならば、十分な効果を得ることができ、略垂直の範囲として定義される。
さらには、線材の軸断面をばね部材の径方向に幅広な楕円形に形成してもよい。
【００３７】
＜参考例＞
本発明の参考例の魚釣用リール２は、図６に示すように、図示しない釣竿に装着されるリール本体２００と、リール本体２００に回転可能に設けられたスプール２２０と、スプール２２０に釣り糸を均一に巻き付けるためのレベルワインド機構２１０と、スプール２２０からの釣糸の繰り出しを制御するドラグ機構２３０と、を主として備えた両軸リールである。
【００３８】
リール本体２００の左右フレーム２００ａ，２００ｂの間に、スプール軸２７０が回転可能に支持されており、スプール軸２７０には、釣糸が巻回されるスプール２２０が取り付けられている。
スプール２２０は、ハンドル２４１を回転操作することによって回転させることができるように構成されており、ハンドル２４１は、リール本体２００の右側板２０１ｂから突出したハンドル軸２４０の先端部に取り付けられている。
【００３９】
ハンドル軸２４０には、駆動歯車２５０が回転自在に設けられている。この駆動歯車２５０は、ハンドル２４１の回転運動をスプール軸２７０に伝達するものである。
また、リール本体２００には、駆動歯車２５０に係合して、スプール２２０に所定の制動力（ドラグ力）を付与するドラグ機構２３０が収容されている。
【００４０】
ドラグ機構２３０は、調節ノブ２３１と、駆動歯車２５０に対して調節ノブ２３１側でハンドル軸２４０に取り付けられた筒状の押圧部材２３２と、調節ノブ２３１と押圧部材２３２との間に介設されたばね部材２３３と、駆動歯車２５０の押圧部材２３２側に当接している板状の制動部材２３４と、を備えている。
【００４１】
前記したドラグ機構２３０では、押圧部材２３２は、ハンドル軸２４０に軸方向に移動可能に取り付けられている。そして、調節ノブ２３１を回動操作すると、調節ノブ２３１の回動操作量（軸方向への移動量）に応じて、ばね部材２３３が圧縮または伸長する。
そして、ばね部材２３３のばね力が押圧部材２３２に作用し、押圧部材２３２が制動部材２３４を押圧することで、制動部材２３４が駆動歯車２５０の側面に圧接され、スプール２２０の釣糸繰り出し方向の回転に対して制動力が付与される。
【００４２】
参考例のドラグ機構２３０に用いられているばね部材２３３は、前記第一実施形態のドラグ機構１３０（図２参照）に用いられているばね部材１３３と同じ構成である。
つまり、ばね部材２３３の線材２３３ａの軸断面の図心を通るばね部材の軸心に平行な方向の軸に関する断面二次モーメントが大きくなっており、ばね部材２３３は径方向への曲げ剛性が大きくなっている。
また、ばね部材２３３の線材２３３ａは板状の部材であり、隣り合う線材２３３ａの軸断面はばね部材１３３の軸方向に隣り合う辺が、平行かつばね部材２３３の軸方向に垂直となるように構成されており、線材２３３ａ同士がばね部材２３３の径方向にずれ難くなっている。
このように、参考例の魚釣用リール２では、第一実施形態の魚釣用リール１（図１参照）と同様に、ばね部材２３３が径方向に湾曲し難くなっており、ばね部材２３３のばね力を押圧部材２３２に安定して付与することができるため、スプール２２０に付与される制動力を安定させることができる。したがって、所望の制動力をスプール２２０に対して好適に付与することができる。
【００４３】
なお、参考例の魚釣用リール２では、第一実施形態と同様に、ばね部材の線材を軸方向に凹凸させ、この凹凸を旋回方向に連続させて波状に形成したばね部材を用いてもよい（図４参照）。
さらに、ばね部材の線材の軸断面は、第一実施形態と同様に、図心を通るばね部材の軸方向に対して略垂直な方向の軸に関する断面二次モーメントが最小となるように形成されていればよく、その形状は限定されるものではない。
【符号の説明】
【００４４】
１      魚釣用リール（第一実施形態）
１００  リール本体
１１０  ロータ
１２０  スプール
１２４  開口凹部
１３０  ドラグ機構
１３１  調節ノブ
１３２  押圧部材
１３３  ばね部材
１３３ａ  線材
１３３ｂ  軸断面
１３４  制動部材
１４０  ハンドル軸
１６０  駆動軸筒
１７０  スプール軸
２      魚釣用リール（参考例）
２００  リール本体
２１０  レベルワインド機構
２２０  スプール
２３０  ドラグ機構
２３１  調節ノブ
２３２  押圧部材
２３３  ばね部材
２３３ａ  線材
２３４  制動部材
２４０  ハンドル軸
２５０  駆動歯車
２７０  スプール軸
【図１】
2015164433.tif 000003
【図２】
2015164433.tif 000004
【図３】
2015164433.tif 000005
【図４】
2015164433.tif 000006
【図５】
2015164433.tif 000007
【図６】
2015164433.tif 000008